(57)【要約】【課題】送受信タイミングの切替えが不要で、通常の運用状態を維持したまま、フレームタイミングのずれを許容範囲に保つことが可能な無線通信システム、基地局および無線端末を提供する。【解決手段】本発明にかかる無線通信システム１１０の代表的な構成は、ＧＰＳ同期を行う基地局１００と、ＧＰＳ受信部を搭載した無線端末１０２とを含み、基地局１００は、通常は、ＧＰＳ衛星１０４から受信する時刻情報に対してフレームタイミングの同期を行うＧＰＳ同期を行い、ＧＰＳ衛星１０４が不可視となった場合には、無線端末１０２に補正情報要求通知を送信し、補正情報要求通知を受信した無線端末１０２は、ＧＰＳ衛星１０４から受信した時刻情報と基地局１００から受信したフレームタイミングとのオフセット量から補正情報を生成して基地局１００に送信し、基地局１００は補正情報に基づいてフレームタイミングの同期を行うことを特徴とする。【選択図】図１
2015115931.tif 000002
【特許請求の範囲】
【請求項１】
ＧＰＳ同期を行う基地局と、ＧＰＳ受信部を搭載した無線端末とを含む無線通信システムにおいて、
前記基地局は、通常は、ＧＰＳ衛星から受信する時刻情報に対してフレームタイミングの同期を行うＧＰＳ同期を行い、
ＧＰＳ衛星が不可視となった場合には、前記基地局は、前記無線端末に補正情報要求通知を送信し、
前記補正情報要求通知を受信した前記無線端末は、前記ＧＰＳ受信部によってＧＰＳ衛星から受信した時刻情報と前記基地局から受信したフレームタイミングとのオフセット量から補正情報を生成して前記基地局に送信し、
前記基地局は前記補正情報に基づいてフレームタイミングの同期を行うことを特徴とする無線通信システム。
【請求項２】
ＧＰＳ同期を行う基地局において、
通常はＧＰＳ衛星から受信する時刻情報に対してフレームタイミングの同期を行うＧＰＳ同期を行い、
ＧＰＳ衛星が不可視となった場合には前記無線端末に補正情報要求通知を送信し、
前記補正情報要求通知を受信した前記無線端末がＧＰＳ衛星から受信した時刻情報と前記基地局から受信したフレームタイミングとのオフセット量から生成した補正情報を該無線端末から受信し、
前記補正情報に基づいてフレームタイミングの同期を行うことを特徴とする基地局。
【請求項３】
ＧＰＳ受信部を搭載した無線端末において、
基地局から受信した補正情報要求通知に応じて、前記ＧＰＳ受信部によってＧＰＳ衛星から受信した時刻情報と前記基地局から受信したフレームタイミングとのオフセット量から補正情報を生成し、前記基地局に送信することを特徴とする無線端末。
【発明の詳細な説明】
【技術分野】
【０００１】
本発明は、ＧＰＳ衛星から時刻情報を受信してフレームタイミングの同期を行う無線通信システム、基地局および無線端末に関する。
【背景技術】
【０００２】
ＰＨＳ（Personal Handy phone System）では、基地局は、ＧＰＳ衛星やＩＳＤＮ回線、光回線から供給されるクロックを受信することにより継続的に同期を行っている。ＧＰＳユニットが搭載された基地局では、ＧＰＳ衛星から受信したクロックである１ＰＰＳ（Pulse Per Second）信号を基準としてフレームタイミングの同期（ＧＰＳ同期）を行っている。フレームタイミングの同期は、電圧制御発振器（以下、内部発振器と称する）に対する制御電圧を調整することによって行う。
【０００３】
ＧＰＳ衛星不可視等により１ＰＰＳ信号（時刻情報）を受信できず、ＧＰＳ同期ができない場合、従来の基地局では、ホールドオーバー回路により動作クロックを維持し、フレームタイミングを維持する制御を行っている（ホールドオーバー制御）。
【０００４】
例えば、特許文献１のクロック同期装置では、ＧＰＳ同期ができなくなった場合、高精度発振器（内部発振器）からの内部信号源クロック（動作クロック）を維持してホールドオーバー制御を行うことが説明されている。
【０００５】
また、従来の基地局では、ホールドオーバー制御を所定時間行った後には、周辺の基地局から制御信号を受信して周辺基地局のフレームタイミングを取得し、このフレームタイミングに基づいて自局のフレームタイミングの同期を行っていた（エア同期）。エア同期開始後にさらに周辺基地局の制御信号を喪失した場合にも、ホールドオーバー制御に移行していた。ホールドオーバー制御を所定時間行った後に周辺基地局の制御信号または１ＰＰＳ信号のいずれも取得できない場合には、基地局のシステムを停止している。
【０００６】
基地局は、通常時において、周辺基地局が送信動作しているときに送信動作を行い、周辺基地局が受信動作しているときに受信動作を行っている。しかし、基地局がエア同期を行う際には、周辺基地局の制御信号を受信できるように、周辺基地局が送信動作しているときに受信動作（端末動作）を行う必要がある。例えば１フレームの中に複数の送信スロットと受信スロットが存在している状態において、エア同期を行う基地局が、少なくとも１つの送信スロットを受信スロットに切替えるという送受信タイミングの切替えをしなければならない。
【先行技術文献】
【特許文献】
【０００７】
【特許文献１】特開２００１−３３９３７３号公報
【発明の概要】
【発明が解決しようとする課題】
【０００８】
しかしながら、上記のように基地局がホールドオーバー制御を行っても、内部発振器の周波数にずれがあるため、フレームタイミングのずれは次第に大きくなってしまう。
【０００９】
特許文献１のように高精度発振器を内部発振器として使用しても、この周波数のずれを完全に除去することはできない。なぜならば、この「周波数のずれ」とは、フレームタイミングのずれが大きくならないように制御電圧を制御しているときの内部発振器の理想的な周波数に対し、制御電圧を一定に保持しているときの内部発振器の周波数がずれていることを意味するものだからである。
【００１０】
このため長時間にわたってホールドオーバー制御を行うことはできず、所定時間（例えば５分）後には上記のようにエア同期に移行したり、基地局を停止したりする必要がある。
【００１１】
一方、基地局がエア同期に移行すると、上記のように送受信タイミングの切替えが必要となり、その分、基地局と無線端末の間の無線通信の通信容量が制限され、通常の運用状態を維持できなくなってしまう。
【００１２】
本発明は、このような課題に鑑み、送受信タイミングの切替えが不要で、通常の運用状態を維持したまま、フレームタイミングのずれを許容範囲に保つことが可能な無線通信システム、基地局および無線端末を提供することを目的とする。
【課題を解決するための手段】
【００１３】
上記課題を解決するために、本発明にかかる無線通信システムの代表的な構成は、ＧＰＳ同期を行う基地局と、ＧＰＳ受信部を搭載した無線端末とを含む無線通信システムにおいて、基地局は、通常は、ＧＰＳ衛星から受信する時刻情報に対してフレームタイミングの同期を行うＧＰＳ同期を行い、ＧＰＳ衛星が不可視となった場合には、基地局は、無線端末に補正情報要求通知を送信し、補正情報要求通知を受信した無線端末は、ＧＰＳ受信部によってＧＰＳ衛星から受信した時刻情報と基地局から受信したフレームタイミングとのオフセット量から補正情報を生成して基地局に送信し、基地局は補正情報に基づいてフレームタイミングの同期を行うことを特徴とする。
【００１４】
上記課題を解決するために、本発明にかかる基地局の代表的な構成は、ＧＰＳ同期を行う基地局において、通常はＧＰＳ衛星から受信する時刻情報に対してフレームタイミングの同期を行うＧＰＳ同期を行い、ＧＰＳ衛星が不可視となった場合には無線端末に補正情報要求通知を送信し、補正情報要求通知を受信した無線端末がＧＰＳ衛星から受信した時刻情報と基地局から受信したフレームタイミングとのオフセット量から生成した補正情報を無線端末から受信し、補正情報に基づいてフレームタイミングの同期を行うことを特徴とする。
【００１５】
上記課題を解決するために、本発明にかかる無線端末の代表的な構成は、ＧＰＳ受信部を搭載した無線端末において、基地局から受信した補正情報要求通知に応じて、ＧＰＳ受信部によってＧＰＳ衛星から受信した時刻情報と基地局から受信したフレームタイミングとのオフセット量から補正情報を生成し、基地局に送信することを特徴とする。
【発明の効果】
【００１６】
本発明によれば、送受信タイミングの切替えが不要で、通常の運用状態を維持したまま、フレームタイミングのずれを許容範囲に保つことが可能な無線通信システム、基地局および無線端末を提供することができる。
【図面の簡単な説明】
【００１７】
【図１】無線通信システムの構成を例示する機能ブロック図である。
【図２】ホールドオーバー制御時のフレームタイミングのずれを示す概念図である。
【図３】無線端末のオフセット量計測について説明する概念図である。
【図４】補正情報に基づいてフレームタイミングの同期を行う基地局の制御部の動作について説明する概念図である。
【図５】複数の無線端末から補正情報を取得する無線通信システムを示す概念図である。
【図６】複数の無線端末から補正情報を取得する無線通信システムの動作を示すシーケンス図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は無線通信システム１１０の構成を例示する機能ブロック図である。無線通信システム１１０は、基地局１００と、無線端末１０２とを含んでいる。図１では、無線通信システム１１０が基地局１００および無線端末１０２を１つずつ含む場合を例示しているが、実際にはさらに多数の基地局および無線端末から構成されている。
【００２０】
基地局１００は、無線端末１０２と無線通信を行い、他の不図示の無線端末やサーバーに対する通信サービスを提供する。無線端末１０２は、ユーザーが保有するものであってもよいし、通信事業者が保有するものであってもよい。無線端末１０２はＧＰＳ受信部を搭載していて、ＧＰＳ衛星１０４から時刻情報を受信可能となっている。
【００２１】
基地局１００は、自局の通信エリア内の無線端末を位置登録する際に、無線端末のＧＰＳ受信部の有無情報も登録する。すなわち、無線端末１０２は、エリア内の多数の無線端末のうちＧＰＳ受信部を有する無線端末の一つを示している。
【００２２】
基地局１００は、ＧＰＳ受信部１２０と、無線通信部１２２と、ベースバンド部１２４と、制御部１２６と、内部発振器１２８と、フレームクロック信号生成部１３０と、通信制御部１３２と、を備えている。以下、基地局１００の構成要素についてそれぞれ説明する。
【００２３】
ＧＰＳ受信部１２０は、無線通信アンテナを介してＧＰＳ衛星１０４より１ＰＰＳ信号（時刻情報）を再生可能となっている。無線通信部１２２は、無線通信アンテナを介して無線端末１０２と無線通信可能となっている。
【００２４】
ベースバンド部１２４は、無線通信部１２２が受信したベースバンド信号をアナログ／デジタル変換し、チャネルデコード等の処理を行って受信信号として制御部１２６へ伝達したり、制御部１２６の生成信号をデジタル／アナログ変換、アップコンバート、増幅等して、搬送帯域の送信信号として無線通信部１２２へ伝達したりする。
【００２５】
制御部１２６は、ＰＬＬ（Phase Lock Loop）等を含み、内部発振器１２８の制御電圧を与えている。制御部１２６は、ＧＰＳ受信部１２０の受信信号（ＧＰＳ衛星１０４から再生した１ＰＰＳ信号すなわち時刻情報）、またはベースバンド部１２４を介して入力された無線通信部１２２の受信信号（無線端末１０２の補正情報）に基づいて、内部発振器１２８の制御電圧を制御する。ホールドオーバー制御時には、制御部１２６は、内部発振器１２８の制御電圧を一定に保持するように構成されている。また、制御部１２６は、後述する補正情報要求通知を生成する機能も有している。
【００２６】
内部発振器１２８は、制御部１２６の制御電圧によって周波数（クロック速度）が可変な発振回路であり、基地局１００のシステムの動作クロックを生成する。フレームクロック信号生成部１３０は、内部発振器１２８が生成した動作クロックとＧＰＳ受信部１２０の受信信号に基づいてフレームクロック信号を生成し、このフレームクロック信号を通信制御部１３２に入力すると共に制御部１２６にフィードバックする。通信制御部１３２はフレームクロック信号にもとづいて無線通信の送受信の制御を行う。
【００２７】
なお、基地局１００のシステムの動作クロックは高周波であり、フレームクロックは低周波であって、フレームクロックに対する動作クロックのカウント数は一定である（変動させない）。
【００２８】
以下、無線通信システム１１０の具体的な動作について説明する。基地局１００は、通常はＧＰＳ衛星１０４から受信する時刻情報に対してフレームタイミングの同期を行うＧＰＳ同期を行っている。
【００２９】
ＧＰＳ同期時の基地局１００の動作について説明すると、まず、ＧＰＳ衛星１０４からの時刻情報をＧＰＳ受信部１２０が受信して制御部１２６に出力する。制御部１２６は、フレームクロックとＧＰＳ衛星１０４から受信した時刻情報（１ＰＰＳ信号のクロック）にずれがある場合には、制御電圧を調整して内部発振器１２８の動作クロックを加減速して、フレームタイミングの同期を行う。なお同期はフレームタイミングの一致ではなく、システム運用開始時のフレームタイミングのずれ（理想のオフセット量）を維持するように同期を行う。
【００３０】
ここで、ＧＰＳ衛星１０４が不可視となった場合には時刻情報を喪失するため、基地局１００はＧＰＳ同期ができなくなってしまう。そのため、基地局１００がホールドオーバー制御を開始し、制御部１２６は内部発振器１２８の制御電圧を一定に保持する。
【００３１】
図２は、ホールドオーバー制御時のフレームタイミングのずれを示す概念図である。この図は、左から右に向かう時間軸で示している。
【００３２】
１段目に示されているのは、ＧＰＳ衛星１０４から基地局１００が受信した時刻情報すなわち１ＰＰＳ信号である。１ＰＰＳ信号では、１秒間隔でパルス２００が並んでいる。
【００３３】
２段目に示されているのは、ＧＰＳ同期時のフレームクロック信号のフレーム２０２である。フレーム２０２は、１ＰＰＳ信号に対して、理想のオフセット量に近い一定のオフセット量を有していて、このオフセット量が維持される。このような状態を継続できることが最も好ましい。また、１フレームは例えば５ｍｓｅｃに設定される。
【００３４】
一方、３段目に示されているのは、ホールドオーバー制御時のフレームクロック信号のフレーム２０４である。フレーム２０４は、ホールドオーバー制御開始時には、１ＰＰＳ信号に対して理想のオフセット量に近いオフセット量を有している。しかし、時間が経過するとオフセット量が拡大し、さらなるフレームタイミングのずれαが発生してしまう。
【００３５】
これは、従来技術で説明したようにホールドオーバー制御時には、内部発振器１２８の周波数にずれがあるために発生するものである。フレームタイミングのずれαは時間の経過と共に次第に大きくなってしまう。
【００３６】
そのため、基地局１００は、所定のタイミングで無線端末１０２に補正情報要求通知を送信する。具体的には、制御部１２６が補正情報要求通知を生成し、制御信号とともにベースバンド部１２４および無線通信部１２２を介して無線端末１０２に送信する。
【００３７】
補正情報要求通知を送信する「所定のタイミング」とは、ホールドオーバー制御の保持可能時間が終了する直前の時間帯に設定してもよいし、ホールドオーバー制御開始と同時に設定してもよい。いずれにしても、ホールドオーバー制御の保持時間中に無線端末１０２からの補正情報を得られるようにして、ホールドオーバー制御が終了してから補正情報に基づく内部発振器１２８の制御をするまでに時間差が生じさせないことが好ましい。
【００３８】
補正情報要求通知を受信した無線端末１０２は、補正情報を生成する。補正情報とは、自身が搭載しているＧＰＳ受信部によってＧＰＳ衛星１０４から受信した時刻情報と基地局１００から受信した制御信号のフレームタイミングとのオフセット量である。
【００３９】
図３は、無線端末１０２のオフセット量計測について説明する概念図である。無線端末１０２は、図示するように、ＧＰＳ衛星１０４から受信した時刻情報のパルス２１０と、基地局１００から受信した制御信号のフレーム２１２とのオフセット量を計測し、補正情報を生成する。
【００４０】
この無線端末１０２は生成した補正情報を基地局１００に送信する。無線端末１０２は、このようにオフセット量を計測して補正情報を生成して基地局１００に送信するように従来の無線端末に対して機能および通信プロトコルを新たに追加する必要がある。従来の無線端末もＧＰＳ受信部は搭載しているものが多いため、主にソフトウェア面の追加で充足する。
【００４１】
基地局１００は、無線通信部１２２によって無線端末１０２が送信した補正情報を受信する。受信した補正情報は、ベースバンド部１２４を介して制御部１２６に入力される。基地局１００の制御部１２６は、この補正情報に基づいてフレームタイミングの同期を行う。なお、この時推定された端末までの遅延時間（距離）が無視できない場合は受信した情報に遅延時間を加味する。
【００４２】
図４は、補正情報に基づいてフレームタイミングの同期を行う基地局１００の制御部１２６の動作について説明する概念図である。この図４では、図３に示したオフセット量（すなわち無線端末１０２が計測したオフセット量）が理想のオフセット量に対してどの程度のずれを有しているか場合分けしている。
【００４３】
したがって、図４の１ＰＰＳ信号のパルス２１０は、図３で示したものと同じものである。また、図４のフレーム２１４，２１６，２１８，２２０は、図３のフレーム２１２と同じフレームであるが、上記のように理想のオフセット量に対するずれが応じて場合分けしているため、それぞれ別の符号を付して区別している。すなわち、図４において、フレーム２１４，２１６，２１８，２２０は、１ＰＰＳ信号のパルス２１０に対して、それぞれ時間的な間隔を有しているが、この間隔が図３に示したオフセット量に相当する。
【００４４】
両矢印２３０は、理想のオフセット量を示している。両矢印２４０は、オフセット量のずれの調整目標範囲を示している。両矢印２５０は、無線通信システム１１０が許容できるオフセット量のずれの許容範囲を示している。
【００４５】
基地局１００の制御部１２６は、まず、無線端末１０２から受信した補正情報により、自局の制御信号のフレームが理想のオフセット量に対してどの程度ずれているかを認識する。そのオフセット量のずれが調整目標範囲に収まっていれば、制御電圧を維持して内部発振器１２８の周波数を維持する。一方、オフセット量のずれが無線通信システム１１０の調整目標範囲を外れ許容範囲に収まっている場合は、制御電圧を変化させて内部発振器１２８の周波数を変化させる。
【００４６】
例えば、フレーム２１４の場合、オフセット量のずれが調整目標範囲を外れているため、制御部１２６は制御電圧を大きくして内部発振器１２８の周波数を大きくする。これにより、フレームクロックのクロック速度が加速するため、オフセット量のずれが小さくなる。
【００４７】
フレーム２１６およびフレーム２２０の場合、オフセット量のずれが調整目標範囲に収まっているため、制御部１２６は制御電圧を維持して内部発振器１２８の周波数を維持する。
【００４８】
フレーム２１８の場合、オフセット量のずれが調整目標範囲を外れているため、制御部１２６は制御電圧を小さくして内部発振器１２８の周波数を小さくする。これにより、フレームクロックのクロック速度が減速するため、オフセット量のずれが小さくなる。
【００４９】
なお、オフセット量のずれが、すでに無線通信システム１１０の許容範囲から逸脱している場合には、無線通信システム１１０が停止してしまう。上述したように、ホールドオーバー制御開始後から時間が経過したり、あるいはホールドオーバー制御が終了してから時間が経過したりすることは避けなければならない。そのため、オフセット量のずれが拡大する前に、基地局１００が補正情報を取得して速やかに内部発振器１２８の制御をできるように設定しておく必要がある。
【００５０】
図５は、複数の無線端末３０２ａ,３０２ｂ,３０２ｃから補正情報を取得する無線通信システム３１０を示す概念図である。無線通信システム３１０は、基地局３００と、ＧＰＳ衛星１０４と、複数の無線端末３０２ａ,３０２ｂ,３０２ｃとを備えている。複数の無線端末３０２ａ,３０２ｂ,３０２ｃは、いずれも基地局３００の通信エリア３２０の中に位置登録されている。
【００５１】
基地局３００は、図１に示した基地局１００と同一の構成を有するため、重複した説明を省略する。ただし、基地局３００の不図示の制御部は、基地局１００の制御部１２６において、以下に述べる機能を追加している点で異なっている。複数の無線端末３０２ａ,３０２ｂ,３０２ｃは、いずれも無線端末１０２と同一の構成および機能を有している。
【００５２】
矢印３５０は、基地局３００が無線端末３０２ａから無線端末３０２ｂへ、無線端末３０２ｂから無線端末３０２ｃへと補正情報を取得する無線端末を巡回させていくことを示している。
【００５３】
図６は、複数の無線端末３０２ａ,３０２ｂ,３０２ｃから補正情報を取得する無線通信システム３１０の動作を示すシーケンス図である。この図６は、基地局３００と複数の無線端末３０２ａ,３０２ｂ,３０２ｃの各動作について、上から下に向かう時系列順に示している。以下、図５および図６を参照しながら、無線通信システム３１０の動作について説明する。
【００５４】
まず、通常の基地局３００は、ＧＰＳ衛星１０４から時刻情報を受信してＧＰＳ同期を行っている（ステップＳ１００）。また、複数の無線端末３０２ａ,３０２ｂ,３０２ｃは、基地局３００に位置登録される際、ＧＰＳ受信部を搭載しているかどうかの情報も基地局３００に送信する（ステップＳ１０２）。
【００５５】
このような通常の動作をしている状況下、基地局３００から見てＧＰＳ衛星１０４が不可視となったとする（ステップＳ１０４）。そうすると、基地局３００は、ホールドオーバー制御を開始する（ステップＳ１０６）。なお、ＧＰＳ同期およびホールドオーバー制御は、無線通信システム１１０の説明で上記したため、重複する説明を省略する。
【００５６】
ホールドオーバー制御を開始後、所定のタイミングで基地局３００は、まず無線端末３０２ａに補正情報要求通知を送信する（ステップＳ１０８）。「所定のタイミング」とは、上述したように、ホールドオーバー制御開始と同時でもよいし、ホールドオーバー制御終了時でもよいが、オフセット量のずれが過度に拡大しない程度のタイミングにする。
【００５７】
補正情報要求通知を受信した無線端末３０２ａは、ＧＰＳ受信部によってＧＰＳ衛星１０４から受信した時刻情報と基地局３００から受信した制御信号のフレームタイミングとのオフセット量の計測を実施し、補正情報を生成する（ステップＳ１１０）。
【００５８】
その後、無線端末３０２ａは、生成した補正情報を基地局３００に送信する（ステップＳ１１２）。基地局３００は、受信した補正情報に基づいて、制御電圧を変化させて内部発振器（不図示）の周波数を変化させる制御を行う（ステップＳ１１４）。
【００５９】
なお、無線端末３０２ａ,３０２ｂ,３０２ｃのオフセット量の計測は、図３および図４で説明したものと同様である。また、補正情報に基づく内部発振器の制御は、図４で説明したものと同様である。
【００６０】
次に、基地局３００は、無線端末３０２ｂに補正情報要求通知を送信する（ステップＳ１１６）。補正情報要求通知を受信した無線端末３０２ｂは、ＧＰＳ受信部によってＧＰＳ衛星１０４から受信した時刻情報と基地局３００から受信した制御信号のフレームタイミングとのオフセット量の計測を実施し、補正情報を生成する（ステップＳ１１８）。無線端末３０２ｂは、生成した補正情報を基地局３００に送信する（ステップＳ１２０）。基地局３００は、受信した補正情報に基づいて、制御電圧を変化させて内部発振器（不図示）の周波数を変化させる制御を行う（ステップＳ１２２）。
【００６１】
次に、基地局３００は、無線端末３０２ｃに補正情報要求通知を送信する（ステップＳ１２４）。補正情報要求通知を受信した無線端末３０２ｃは、ＧＰＳ受信部によってＧＰＳ衛星１０４から受信した時刻情報と基地局３００から受信した制御信号のフレームタイミングとのオフセット量の計測を実施し、補正情報を生成する（ステップＳ１２６）。無線端末３０２ｃは、生成した補正情報を基地局３００に送信する（ステップＳ１２８）。基地局３００は、受信した補正情報に基づいて、制御電圧を変化させて内部発振器（不図示）の周波数を変化させる制御を行う（ステップＳ１３０）。
【００６２】
以後、無線通信システム３１０は、ステップＳ１０８〜ステップ１３０の動作を繰り返す。そして、ＧＰＳ衛星を捕捉できた場合（ステップＳ１３２）、再び基地局３００は、ＧＰＳ同期を再開する（ステップＳ１３４）。
【００６３】
このような無線通信システム３１０によれば、一つの無線端末に負荷が集中させないようにすることができ、複数の無線端末３０２ａ,３０２ｂ,３０２ｃの各々のバッテリーセービングを図ることができる。なお、基地局３００の通信エリア３２０が広く、基地局３００が遠くの無線端末から補正情報を取得する場合には、伝搬遅延を考慮してＲＳＳＩ等をもとに遅延量を推定したり、複数の無線端末からの補正情報の平均を取ったりして伝搬遅延による誤差を緩和することが可能である。
【００６４】
以上のように、上記実施形態の無線通信システム１１０,３１０は、送受信タイミングの切替えが不要で、通常の運用状態が維持したまま、フレームタイミングのずれを許容範囲に保つことができる。
【００６５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６６】
本発明は、ＧＰＳ衛星から時刻情報を受信してフレームタイミングの同期を行う無線通信システム、基地局および無線端末として利用可能である。
【符号の説明】
【００６７】
１０４…ＧＰＳ衛星、１２０…ＧＰＳ受信部、１２２…無線通信部、１２４…ベースバンド部、１２６…制御部、１２８…内部発振器、１３０…フレームクロック信号生成部、１３２…通信制御部、３２０…通信エリア、３５０…矢印、１００,３００…基地局、１１０,３１０…無線通信システム、２００,２１０…パルス、１０２,３０２ａ,３０２ｂ,３０２ｃ…無線端末、２０２,２０４,２１２,２１４,２１６,２１８,２２０…フレーム、２３０,２４０,２５０…両矢印
【図１】
2015115931.tif 000003
【図２】
2015115931.tif 000004
【図３】
2015115931.tif 000005
【図４】
2015115931.tif 000006
【図５】
2015115931.tif 000007
【図６】
2015115931.tif 000008